(57)【要約】【課題】簡単な構成で温度変化に対する耐久性を有する採光用構造体、および、かかる採光用構造体を施工する方法を提供すること。【解決手段】採光用構造体１は、屋根３０に開口して形成された開口部に設置され、屋内に光を採り入れるものである。採光用構造体１は、前記開口部を覆うように配置され、光透過性を有する採光部材２と、屋根３０上で採光部材２を支持する支持機構５とを備える。そして、採光部材２は、波形をなすものである。【選択図】図２
2017078288.tif 000002
【特許請求の範囲】
【請求項１】
互いに直交するｘ方向とｙ方向とを想定したとき、前記ｘ方向に沿って延在する凸条を複数有し、該複数の凸条が前記ｙ方向に沿って配置された屋根に開口して形成された開口部に設置され、屋内に光を採り入れる採光用構造体であって、
前記開口部を覆うように配置され、板状をなし、光透過性を有する少なくとも１枚の採光部材と、
前記屋根上で前記採光部材を支持する支持機構とを備え、
前記採光部材は、前記ｙ方向に沿って延在する凹部および凸部が、前記ｘ方向に沿って複数繰り返して形成された波形をなすものであることを特徴とする採光用構造体。
【請求項２】
前記開口部は、前記ｙ方向に隣接する前記凸条の頂部同士の間の部分に形成されており、
前記採光部材は、１枚で前記開口部を覆っている請求項１に記載の採光用構造体。
【請求項３】
前記凹部の底部と前記凸部の頂部とは、それぞれ、平面状をなす請求項１または２に記載の採光用構造体。
【請求項４】
前記凹部の底部と前記凸部の頂部とは、それぞれ、丸みを帯びている請求項１または２に記載の採光用構造体。
【請求項５】
前記採光部材は、可撓性を有し、前記支持機構による支持を解除した状態でロール状に巻回可能である請求項１ないし４のいずれか１項に記載の採光用構造体。
【請求項６】
前記支持機構は、前記ｙ方向に沿って延在し、前記ｘ方向に沿って間隔をおいて配置された複数本の第１の梁と、前記ｘ方向に沿って延在し、前記ｙ方向に沿って間隔をおいて配置され、前記各第１の梁に対して交差して固定された複数本の第２の梁とを有する請求項１ないし５のいずれか１項に記載の採光用構造体。
【請求項７】
前記各第１の梁上には、前記各第２の梁が重ねられ、
前記各第２の梁上には、前記採光部材が重ねられている請求項６に記載の採光用構造体。
【請求項８】
前記各第１の梁は、前記ｙ方向に隣接する前記凸条の頂部同士の間に架設されている請求項７に記載の採光用構造体。
【請求項９】
前記複数本の第２の梁には、互いに太さが異なるものがある請求項７または８に記載の採光用構造体。
【請求項１０】
前記開口部への水の浸入を防止する止水板をさらに備える請求項１ないし９のいずれか１項に記載の採光用構造体。
【請求項１１】
前記採光部材の縁部を覆うカバー部材をさらに備える請求項１ないし１０のいずれか１項に記載の採光用構造体。
【請求項１２】
請求項１ないし１１のいずれか１項に記載の採光用構造体を前記屋根に施工する方法であって、
前記支持機構を前記屋根に固定する支持機構固定工程と、
前記採光部材を前記支持機構で支持する採光部材支持工程と有することを特徴とする採光用構造体の施工方法。
【請求項１３】
前記採光部材は、可撓性を有し、前記支持機構に支持される以前は、ロール状に巻回されたものであり、
前記採光部材支持工程では、前記ロール状の前記採光部材を前記支持機構上で展開する請求項１２に記載の採光用構造体の施工方法。
【発明の詳細な説明】
【技術分野】
【０００１】
本発明は、採光用構造体および採光用構造体の施工方法に関する。
【背景技術】
【０００２】
屋根には、屋内に屋外の光を取り込むための採光部が設けられていることがある。採光部には、屋根の一部に形成された開口部に、光透過性を有する板材をボルト等で装着、固定することにより構成されるものがある。
【０００３】
また、屋根には、例えば工場の屋根のように、一方向に延在する複数本の凸条が、前記一方向と直交する方向に配置された、すなわち、金属板を波形に折り曲げたものがある。この場合、採光部を設けるには、波形に折り曲げた金属板と同形状に成形された樹脂製の板部材を、屋根の開口部に装着することにより可能となる（例えば、特許文献１参照）。
【０００４】
前記樹脂製の板部材のような部材を採光部に用いた場合、当該部材は、例えばその構成材料と凸条の延在方向が起因して、使用環境の温度変化による変形がし易いことが一般的に知られている。そして、この部材の変形が著しい場合、例えばシール材が破損して、屋根の開口部から雨等の水が屋内に浸入してくるという問題があった。
【先行技術文献】
【特許文献】
【０００５】
【特許文献１】特開平７−３４６１５号公報
【発明の概要】
【発明が解決しようとする課題】
【０００６】
本発明の目的は、簡単な構成で温度変化に対する耐久性を有する採光用構造体、および、かかる採光用構造体を施工する方法を提供することにある。
【課題を解決するための手段】
【０００７】
このような目的は、下記（１）〜（１３）の本発明により達成される。
（１）  互いに直交するｘ方向とｙ方向とを想定したとき、前記ｘ方向に沿って延在する凸条を複数有し、該複数の凸条が前記ｙ方向に沿って配置された屋根に開口して形成された開口部に設置され、屋内に光を採り入れる採光用構造体であって、
前記開口部を覆うように配置され、板状をなし、光透過性を有する少なくとも１枚の採光部材と、
前記屋根上で前記採光部材を支持する支持機構とを備え、
前記採光部材は、前記ｙ方向に沿って延在する凹部および凸部が、前記ｘ方向に沿って複数繰り返して形成された波形をなすものであることを特徴とする採光用構造体。
【０００８】
（２）  前記開口部は、前記ｙ方向に隣接する前記凸条の頂部同士の間の部分に形成されており、
前記採光部材は、１枚で前記開口部を覆っている上記（１）に記載の採光用構造体。
【０００９】
（３）  前記凹部の底部と前記凸部の頂部とは、それぞれ、平面状をなす上記（１）または（２）に記載の採光用構造体。
【００１０】
（４）  前記凹部の底部と前記凸部の頂部とは、それぞれ、丸みを帯びている上記（１）または（２）に記載の採光用構造体。
【００１１】
（５）  前記採光部材は、可撓性を有し、前記支持機構による支持を解除した状態でロール状に巻回可能である上記（１）ないし（４）のいずれかに記載の採光用構造体。
【００１２】
（６）  前記支持機構は、前記ｙ方向に沿って延在し、前記ｘ方向に沿って間隔をおいて配置された複数本の第１の梁と、前記ｘ方向に沿って延在し、前記ｙ方向に沿って間隔をおいて配置され、前記各第１の梁に対して交差して固定された複数本の第２の梁とを有する上記（１）ないし（５）のいずれかに記載の採光用構造体。
【００１３】
（７）  前記各第１の梁上には、前記各第２の梁が重ねられ、
前記各第２の梁上には、前記採光部材が重ねられている上記（６）に記載の採光用構造体。
【００１４】
（８）  前記各第１の梁は、前記ｙ方向に隣接する前記凸条の頂部同士の間に架設されている上記（７）に記載の採光用構造体。
【００１５】
（９）  前記複数本の第２の梁には、互いに太さが異なるものがある上記（７）または（８）に記載の採光用構造体。
【００１６】
（１０）  前記開口部への水の浸入を防止する止水板をさらに備える上記（１）ないし（９）のいずれかに記載の採光用構造体。
【００１７】
（１１）  前記採光部材の縁部を覆うカバー部材をさらに備える上記（１）ないし（１０）のいずれかに記載の採光用構造体。
【００１８】
（１２）  上記（１）ないし（１１）のいずれかに記載の採光用構造体を前記屋根に施工する方法であって、
前記支持機構を前記屋根に固定する支持機構固定工程と、
前記採光部材を前記支持機構で支持する採光部材支持工程と有することを特徴とする採光用構造体の施工方法。
【００１９】
（１３）  前記採光部材は、可撓性を有し、前記支持機構に支持される以前は、ロール状に巻回されたものであり、
前記採光部材支持工程では、前記ロール状の前記採光部材を前記支持機構上で展開する上記（１２）に記載の採光用構造体の施工方法。
【００２０】
また、本発明の採光用構造体では、前記凹部の底部と前記凸部の頂部と差は、前記凸条の高さよりも小さいのが好ましい。
【００２１】
また、本発明の採光用構造体では、前記ｘ方向に隣接する前記凸部の頂部同士の間隔は、前記ｙ方向に隣接する前記凸条の頂部同士の間隔よりも小さいのが好ましい。
【発明の効果】
【００２２】
本発明によれば、簡単な構成で温度変化に対する耐久性を有する採光用構造体が得られるとともに、かかる採光用構造体を施工する方法を行なうことができる。
【図面の簡単な説明】
【００２３】
【図１】図１は、本発明の採光用構造体を工場の屋根に設置した状態を示す斜視図である。
【図２】図２は、図１中の一点鎖線で囲まれた領域［Ａ］の拡大図である。
【図３】図３は、図２中の矢印Ｂ方向から見た概略部分断面正面図である。
【図４】図４は、図２中の矢印Ｃ方向から見た概略側面図である。
【図５】図５は、図２中の矢印Ｄ方向から見た概略平面図である。
【図６】図６は、図１に示す採光用構造体が備える採光部材の斜視図である。
【図７】図７は、図１に示す採光用構造体を屋根に施工する方法（本発明の採光用構造体の施工方法）を順に示す概略部分断面斜視図である。
【図８】図８は、図１に示す採光用構造体を屋根に施工する方法（本発明の採光用構造体の施工方法）を順に示す概略部分断面斜視図である。
【図９】図９は、図１に示す採光用構造体を屋根に施工する方法（本発明の採光用構造体の施工方法）を順に示す概略部分断面斜視図である。
【図１０】図１０は、図１に示す採光用構造体を屋根に施工する方法（本発明の採光用構造体の施工方法）を順に示す概略部分断面斜視図である。
【図１１】図１１は、図１に示す採光用構造体を屋根に施工する方法（本発明の採光用構造体の施工方法）を順に示す概略部分断面斜視図である。
【図１２】図１２は、図１に示す採光用構造体を屋根に施工する方法（本発明の採光用構造体の施工方法）を順に示す概略部分断面斜視図である。
【図１３】図１３は、図１に示す採光用構造体を屋根に施工する方法（本発明の採光用構造体の施工方法）を順に示す概略部分断面斜視図である。
【図１４】図１４は、本発明の採光用構造体（第２実施形態）の採光部材付近を示す概略部分断面側面図である。
【図１５】図１５は、本発明の採光用構造体（第３実施形態）が備える採光部材の斜視図である。
【図１６】図１６は、本発明の採光用構造体（第４実施形態）の採光部材付近を示す概略部分断面正面図である。
【図１７】図１７は、本発明の採光用構造体の第５実施形態を示す概略部分断面正面図である。
【発明を実施するための形態】
【００２４】
以下、本発明の採光用構造体および採光用構造体の施工方法を添付図面に示す好適な実施形態に基づいて詳細に説明する。
【００２５】
＜第１実施形態＞
図１は、本発明の採光用構造体を工場の屋根に設置した状態を示す斜視図である。図２は、図１中の一点鎖線で囲まれた領域［Ａ］の拡大図である。図３は、図２中の矢印Ｂ方向から見た概略部分断面正面図である。図４は、図２中の矢印Ｃ方向から見た概略側面図である。図５は、図２中の矢印Ｄ方向から見た概略平面図である。図６は、図１に示す採光用構造体が備える採光部材の斜視図である。図７〜図１３は、それぞれ、図１に示す採光用構造体を屋根に施工する方法（本発明の採光用構造体の施工方法）を順に示す概略部分断面斜視図である。なお、以下では、説明の都合上、水平面上の一方向を「ｘ方向」、水平面上でｘ方向に直交する方向を「ｙ方向」、鉛直方向を「ｚ方向」と言う。また、図１〜図４中の上側を「上」または「上方」と言い、下側を「下」または「下方」と言うこともある。
【００２６】
図１に示すように、採光用構造体１は、工場２０の屋根３０に設置して用いることができる。
【００２７】
採光用構造体１について説明する前に、屋根３０について説明する。
屋根３０は、全体として、水平となっていてもよいし、壁際部３０１から軒先３０２に向かって傾斜していてもよい。本実施形態では、屋根３０は、全体として水平となっている場合を一例としている。
【００２８】
図２に示すように、屋根３０は、山状に突出し（隆起し）、ｘ方向に沿って延在する凸条３０３を複数有している。そして、これらの凸条３０３は、ｙ方向に沿って等間隔に配置されている。これにより、屋根３０は、全体として波形をなすものとなる。図３に示すように、各凸条３０３のｙ方向の両側には、それぞれ、傾斜面３０５を有している。
【００２９】
また、ｘ方向に隣接する凸条３０３同士間の部分は、溝３０４となっている。この溝３０４の底部３０６は、平面となっており、雨水等が流れることができる。これにより、屋根３０は、水はけがよいものとなる。
【００３０】
このような波形をなす屋根３０は、長尺状をなす金属板を幅方向に所定箇所折り曲げて、当該折り曲げられた金属板同士を組み合わせた構成となっている。なお、この金属板の厚さｔ３０３としては、特に限定されず、例えば、０．２ｍｍ以上、１．５ｍｍ以下であるのが好ましく、０．５ｍｍ以上、１．０ｍｍ以下であるのがより好ましい。
【００３１】
また、図３に示すように、屋根３０には、開口部３０７が形成されている。開口部３０７は、ｙ方向に隣接する凸条３０３の頂部３０８同士の間の部分を開口して、すなわち、欠損して形成されている。そして、屋根３０の開口部３０７の上方には、採光用構造体１が設置されている。
【００３２】
次に、採光用構造体１について説明する。
図３に示すように、採光用構造体１は、屋外の光、すなわち、自然光ＮＬを屋内４０（工場２０内）に採り入れるものである。
【００３３】
図３〜図５に示すように、採光用構造体１は、採光部材２と、第１の止水板３Ａおよび第２の止水板３Ｂと、第１のカバー部材４Ａおよび第２のカバー部材４Ｂと、支持機構５とを備えている。なお、図２では、第１のカバー部材４Ａおよび第２のカバー部材４Ｂが省略されている。
【００３４】
支持機構５は、採光部材２と、第１の止水板３Ａおよび第２の止水板３Ｂと、第１のカバー部材４Ａおよび第２のカバー部材４Ｂとを屋根３０上で支持するものである。
【００３５】
図３、図４に示すように、支持機構５は、３本の第１の梁６Ａと、３本の第２の梁６Ｂとを有し、これらの梁同士を組み立ててなる組立体である。
【００３６】
各第１の梁６Ａおよび各第２の梁６Ｂは、横断面形状が四角形（本実施形態では正方形）の角型鋼管で構成されている。各第１の梁６Ａの全長は、採光用構造体１の設置場所にもよるが、例えば、３００ｍｍ以上、１５００ｍｍ以下であるのが好ましく、５００ｍｍ以上、１０００ｍｍ以下であるのがより好ましい。また、各第２の梁６Ｂの全長は、第１の梁６Ａの全長よりも長く、その長さは、採光用構造体１の設置場所にもよるが、例えば、５０ｍ以下であるのが好ましく、６ｍ以下であるのがより好ましい。また、各梁の横断面の一辺の長さは、特に限定されないが、例えば、５ｍｍ以上、１００ｍｍ以下であるのが好ましく、１０ｍｍ以上、２０ｍｍ以下であるのがより好ましい。
【００３７】
３本の第１の梁６Ａは、ｙ方向に沿って延在し、同ｙ方向に隣接する凸条３０３の頂部３０８同士の間に架設され、固定部材３０８ａを介して当該頂部３０８に固定されている（図３参照）。これにより、各第１の梁６Ａは、安定して水平に設置されることになる。また、各第１の梁６Ａは、ｘ方向に沿って等間隔に配置されている（図４参照）。
【００３８】
なお、第１の梁６Ａの固定は、固定部材３０８ａを用いるのに限定されず、例えば、溶接による方法であってもよい。
【００３９】
一方、３本の第２の梁６Ｂは、各第１の梁６Ａ上に重ねられ、ｘ方向に沿って延在している。また、各第２の梁６Ｂは、ｙ方向に沿って等間隔に配置されている。これにより、各第１の梁６Ａと各第２の梁６Ｂとは、交差した（直交した）状態となる。そして、この状態で、各第１の梁６Ａと各第２の梁６Ｂとが固定部材６１を介して固定されている。これにより、支持機構５は、第１の梁６Ａと第２の梁６Ｂとを格子状に組み立てたのものとなり、その組立強度も高いものとなる。
【００４０】
図３、図４に示すように、各第２の梁６Ｂ上には、板状をなす１枚の採光部材２が重ねられている。これにより、第１の梁６Ａ、第２の梁６Ｂ、採光部材２をこの順に積んでいくことにより、採光用構造体１を容易に組み立てることができる。なお、採光部材２は、第１のカバー部材４Ａおよび第２のカバー部材４Ｂとともに、固定部材としてのボルト１１を介して固定されている（共締めされている）。
【００４１】
採光部材２は、光透過性を有する樹脂材料で構成され、このような材料としては、特に限定されないが、例えば、ポリカーボネートが好ましい。なお、採光部材２は、透明なものであってもよいし、半透明なものであってもよいが、自然光ＮＬの透過率が５％以上、９５％以下であるのが好ましく、２０％以上、９０％以下であるのがより好ましい。
また、採光部材２は、無色のものであってよいし、有色のものであってもよい。
【００４２】
この１枚の採光部材２は、平面視で、開口部３０７を覆う、すなわち、包含するのに十分な大きさとなっている。これにより、採光部材２を透過した自然光ＮＬを、開口部３０７を介して、屋内４０に十分に採り込むことができる。なお、採光部材２のｘ方向に沿った長さ、すなわち、全長Ｌ２としては、好ましくは１００ｍ以下とすることができ、より好ましくは５０ｍ以下とすることができる。また、採光部材２のｙ方向に沿った長さ、すなわち、幅Ｗ２としては、好ましくは２００ｍｍ以上、１５００ｍｍ以下とすることができ、より好ましくは５００ｍｍ以上、９７０ｍｍ以下とすることができる。
【００４３】
このように採光用構造体１では、１枚の採光部材２で開口部３０７を覆うことができる。例えば複数枚の採光部材２を連結して開口部３０７を覆った場合、その連結部での水密性を確保するためにシール材を用いなければならず、当該シール材の分、部品点数が増加する。また、当該シール材の経時的な劣化も懸念される。これに対し採光用構造体１では、前記連結部を省略して部品点数の増加を抑えることでき、また、前記シール材の劣化の懸念も解消することができる。
【００４４】
なお、採光部材２の厚さｔ２は、一定であり、その大きさとしては、特に限定されず、例えば、０．２ｍｍ以上、３ｍｍ以下であるのが好ましく、０．７ｍｍ以上、２ｍｍ以下であるのがより好ましい。
【００４５】
図６に示すように、採光部材２は、ｙ方向に沿って延在する複数本の凹部２１および凸部２２を有している。そして、これらの凹部２１と凸部２２とがｘ方向に沿って繰り返して形成されており、全体として波形をなしている。
【００４６】
また、凹部２１の底部２１１と凸部２２の頂部２２１との高低差Ｈ２は、屋根３０の凸条３０３の高さＨ３０３よりも小さい（図３、図６参照）。例えば、高低差Ｈ２は、２ｍｍ以上、２００ｍｍ以下であるのが好ましく、５ｍｍ以上、２５ｍｍ以下であるのがより好ましい。
【００４７】
また、ｘ方向に隣接する凸部２２の頂部２２１同士の間隔（ピッチ）Ｐ２は、ｙ方向に隣接する凸条３０３の頂部３０８同士の間隔（ピッチ）Ｐ３０３よりも小さい（図３、図６参照）。例えば、間隔Ｐ２は、２０ｍｍ以上、５００ｍｍ以下であるのが好ましく、３０ｍｍ以上、８０ｍｍ以下であるのがより好ましい。
【００４８】
以上のように採光部材２は、波形をなし、当該波形を構成する凹部２１と凸部２２とがｙ方向に沿って延在するように配置して用いられる。そして、この波形の向きは、屋根３０の波形（凸条３０３）と直交する向きとなっている（図２参照）。
【００４９】
ところで、採光部材２は、温度変化に対しては主に長手方向（ｘ方向）に伸縮することとなる。そして、この伸縮は、採光部材２自身の波形によって過不足なく吸収され、よって、全長Ｌ２の変化をできる限り抑えることができる。
【００５０】
このように採光用構造体１では、採光部材２の波形の向きを屋根３０の波形の向きと異なる方向にする簡単な構成で、採光部材２の全長Ｌ２が温度によって変化することによる不具合を防止することができ、耐久性に優れる。なお、この不具合としては、例えば、採光部材２と支持機構５と間に生じる隙間、採光部材２の破損等が挙げられる。これらは、雨漏りの原因となる。
【００５１】
また、自然光ＮＬは、波形をなす採光部材２を透過する際に屈折して乱反射した状態となり、そのまま屋内４０に照射される。これにより、屋内４０のできる限り広い領域に自然光ＮＬを当てることができる。なお、採光部材２には、光を拡散する拡散剤が配合されていてもよい。また、採光部材２は、片面、もしくは両面が梨地（マット）加工されていてもよい。
【００５２】
図６に示すように、凹部２１の底部２１１と凸部２２の頂部２２１とは、それぞれ、ｘｙ平面に沿った平面状をなしているが、これにより、採光部材２は、可撓性を有しているものの、厚さｔ２方向の剛性（強度）が高まり、よって、例えば鉛直上から負荷が掛かったとしても不本意に撓んでしまうのが防止される。
【００５３】
また、図１１に示すように、採光部材２は、支持機構５による支持を解除した状態で、長手方向（ｘ方向）にロール状に巻回可能である。これにより、採光部材２をロール状に巻回したまま搬送することができ、よって、その搬送作業が容易となる。
【００５４】
図５に示すように、採光部材２を介してｘ方向には、２つの第１のカバー部材４Ａが配置され、採光部材２を介してｙ方向には、２つの第２のカバー部材４Ｂが配置されている。
【００５５】
図４、図５に示すように、各第１のカバー部材４Ａは、ｙ方向に沿った長尺体で構成され、その幅方向（ｘ方向）の途中が屈曲したものである。そして、この屈曲部４１の内側には、採光部材２のｘ方向に位置する縁部２３が配置されている。これにより、縁部２３は、第１のカバー部材４Ａで覆われて、保護された状態となる。
【００５６】
図３、図５に示すように、各第２のカバー部材４Ｂは、ｘ方向に沿った長尺体で構成され、その幅方向（ｙ方向）の途中が屈曲したものである。そして、この屈曲部４２の内側には、採光部材２のｙ方向に位置する縁部２４が配置されている。これにより、縁部２４は、第２のカバー部材４Ｂで覆われて、保護された状態となる。
【００５７】
また、第１のカバー部材４Ａ、第２のカバー部材４Ｂにより、例えば採光部材２と支持機構５との間から雨水等の水が屋内４０に浸入するのを防止することもできる。
【００５８】
図３、図１０に示すように、屋根３０の開口部３０７を介してｘ方向には、２枚の第１の止水板３Ａが対向配置され、ボルト（図示せず）によって第１の梁６Ａに固定されている。また、開口部３０７を介してｙ方向には、２枚の第２の止水板３Ｂが対向配置され、ボルト１２によって第２の梁６Ｂに固定されている。
【００５９】
各第１の止水板３Ａは、開口部３０７をｘ方向から覆うことができ、各第２の止水板３Ｂは、開口部３０７をｙ方向から覆うことができる。これにより、開口部３０７を介して雨水等の水が屋内４０に浸入するのを防止することができる。
【００６０】
図３に示すように、各第２の止水板３Ｂは、下端部３１が屋根３０の傾斜面３０５と底部３０６との境界部３０９に位置して（当接して）いる。例えば各第２の止水板３Ｂの下端部３１が傾斜面３０５の途中に位置している場合、傾斜面３０５の傾斜角度によっては、各第２の止水板３Ｂの設置状態が安定しづらくなることがある。これに対し、本実施形態では、各第２の止水板３Ｂの下端部３１が境界部３０９に位置していることにより、各第２の止水板３Ｂの設置状態が安定する。また、例えば各第２の止水板３Ｂの下端部３１が底部３０６のｙ方向の途中に位置している場合、その位置にもよるが、底部３０６での雨水の流下が阻害されることがある。これに対し、本実施形態では、各第２の止水板３Ｂの下端部３１が境界部３０９に位置していることにより、底部３０６での雨水の流下が円滑に行なわれ、水はけがよくなる。
【００６１】
第１のカバー部材４Ａ、第２のカバー部材４Ｂ、第１の止水板３Ａ、第２の止水板３Ｂの構成材料としては、特に限定されず、例えば、各種金属材料を用いることができる。
【００６２】
次に、採光用構造体１を屋根３０に施工する方法ついて、図７〜図１３を参照しつつ説明する。この施工方法は、支持機構固定工程と、止水板支持工程と、採光部材支持工程と、カバー部材支持工程とを有する。
【００６３】
［１］  支持機構固定工程
図７に示すように、屋根３０には、予め開口部３０７が設けられている。
【００６４】
図８に示すように、隣接する頂部３０８上の所定位置に各第１の梁６Ａを架設し、固定する。
【００６５】
次に、図９に示すように、各第１の梁６Ａ上の所定位置に各第２の梁６Ｂを架設し、固定する。これにより、支持機構５が屋根３０に固定された状態となる。
【００６６】
［２］  止水板支持工程
図１０に示すように、ｘ方向の両端にそれぞれ位置する第１の梁６Ａに第１の止水板３Ａを固定する。また、ｙ方向の両端にそれぞれ位置する第２の梁６Ｂに第２の止水板３Ｂを固定する。
【００６７】
［３］  採光部材支持工程
図１１に示すように、ロール状に巻回された採光部材２を第２の梁６Ｂ上に載置して、ｘ方向に向かって転がしながら展開する。これにより、採光部材２を容易に敷き設（施工）することができ、よって、当該採光部材２は、支持機構５で支持された状態となる（図１２参照）。また、このとき、採光部材２は、前述したように凹部２１および凸部２２がそれぞれｙ方向に沿って延在した状態となっている。
【００６８】
［４］  カバー部材支持工程
図１３（図３、図４）に示すように、採光部材２の縁部２３側に第１のカバー部材４Ａを配置するとともに、縁部２４側に第２のカバー部材４Ｂを配置する。そして、この状態で第１のカバー部材４Ａおよび第２のカバー部材４Ｂを採光部材２ごと第２の梁６Ｂに固定する。なお、本実施形態では、第２のカバー部材４Ｂ上に第１のカバー部材４Ａの一部が重なっている。
【００６９】
以上のような工程を経ることにより、屋根３０への採光用構造体１の施工を迅速かつ確実に行なうことができる。
【００７０】
＜第２実施形態＞
図１４は、本発明の採光用構造体（第２実施形態）の採光部材付近を示す概略部分断面側面図である。
【００７１】
以下、この図を参照して本発明の採光用構造体および採光用構造体の施工方法の第２実施形態について説明するが、前述した実施形態との相違点を中心に説明し、同様の事項はその説明を省略する。
【００７２】
本実施形態は、採光用構造体の構成が異なること以外は前記第１実施形態と同様である。
【００７３】
図１４に示すように、本実施形態では、採光用構造体１は、支持機構５の第２の梁６Ｂと採光部材２との間に配置された緩衝材７を有する構成となっている。緩衝材７は、第２の梁６Ｂと採光部材２との隙間１３を埋めるものである。これにより、第２の梁６Ｂと採光部材２との間の水密性が向上し、よって、雨水等の水の浸入を防止することができる。
【００７４】
なお、緩衝材７の構成材料としては、撥水性と弾性とを有する材料が挙げられ、例えば、ポリエチレンやＥＰＤＭ（エチレンプロピレンジエンゴム）の発泡体等を用いることができる。
【００７５】
＜第３実施形態＞
図１５は、本発明の採光用構造体（第３実施形態）が備える採光部材の斜視図である。
【００７６】
以下、この図を参照して本発明の採光用構造体および採光用構造体の施工方法の第３実施形態について説明するが、前述した実施形態との相違点を中心に説明し、同様の事項はその説明を省略する。
本実施形態は、採光部材の形状が異なること以外は前記第１実施形態と同様である。
【００７７】
図１５に示すように、本実施形態では、凹部２１の底部２１１と凸部２２の頂部２２１とは、それぞれ、丸みを帯びている。このような形状は、採光部材２の厚さｔ２方向の剛性を、前記第１実施形態での採光部材２の剛性よりも抑制したい場合に有効である。
【００７８】
＜第４実施形態＞
図１６は、本発明の採光用構造体（第４実施形態）の採光部材付近を示す概略部分断面正面図である。
【００７９】
以下、この図を参照して本発明の採光用構造体および採光用構造体の施工方法の第４実施形態について説明するが、前述した実施形態との相違点を中心に説明し、同様の事項はその説明を省略する。
【００８０】
本実施形態は、採光用構造体の設置姿勢が異なること以外は前記第１実施形態と同様である。
【００８１】
図１６に示すように、本実施形態では、採光部材２は、例えば、南側に向かって傾斜している。これにより、屋内４０への採光が好適に行なわれる。
【００８２】
また、採光部材２が傾斜していることにより、その傾斜方向下方に向かって雨水が流下することなる。これにより、雨水を採光部材２上から確実に排出することができ、当該雨水で採光が妨げられるのが防止される。
【００８３】
＜第５実施形態＞
図１７は、本発明の採光用構造体の第５実施形態を示す概略部分断面正面図である。
【００８４】
以下、この図を参照して本発明の採光用構造体および採光用構造体の施工方法の第５実施形態について説明するが、前述した実施形態との相違点を中心に説明し、同様の事項はその説明を省略する。
【００８５】
本実施形態は、第２の梁同士の太さ関係が異なること以外は前記第１実施形態と同様である。
【００８６】
図１７に示すように、本実施形態では、３本の第２の梁６Ｂのうち、中央に位置する第２の梁６Ｂ（以下「第２の梁６Ｂ１」と言う）が、他の２本の第２の梁６Ｂ（以下「第２の梁６Ｂ２」と言う）よりも太くなっている。この場合、採光部材２は、第２の梁６Ｂ１から一方の第２の梁６Ｂ２（図１７中の左側）に向かって傾斜するとともに、他方の第２の梁６Ｂ２（図１７中の右側）に向かって傾斜した状態となる。これにより、採光部材２上の雨水等は、傾斜方向下方に向かって流下することでき、よって、採光用構造体１は、水はけがよいものとなる。
【００８７】
以上、本発明の採光用構造体および採光用構造体の施工方法を図示の実施形態について説明したが、本発明は、これに限定されるものではない。また、採光用構造体を構成する各部は、同様の機能を発揮し得る任意の構成のものと置換することができる。また、任意の構成物が付加されていてもよい。
【００８８】
また、本発明の採光用構造体および採光用構造体の施工方法は、前記各実施形態のうちの、任意の２以上の構成（特徴）を組み合わせたものであってもよい。
【００８９】
また、採光用構造体は、前記各実施形態では工場の屋根に設置して用いられたものとなっているが、これに限定されず、工場以外のその他の建物（建築物）の屋根にも設置して用いることができる。
【００９０】
また、支持機構を構成する第１の梁および第２の梁の本数は、前記各実施形態では３本であるが、これに限定されず、例えば、２本または４本以上であってもよい。
【００９１】
また、支持機構を構成する第１の梁および第２の梁の本数は、前記各実施形態では同じであるが、これに限定されず、異なっていてもよい。
【００９２】
また、３本の第１の梁は、前記各実施形態ではｘ方向の間隔が同じに配置されているが、これに限定されず、ｘ方向の間隔が異なって配置されていてもよい。これと同様に、３本の第２の梁も、前記各実施形態ではｙ方向の間隔が同じに配置されているが、これに限定されず、ｙ方向の間隔が異なって配置されていてもよい。
【００９３】
また、第２の梁は、前記各実施形態では太さがその長手方向（ｘ方向）に沿って一定であるが、これに限定されず、長手方向の中央部が最も太く、端に向かって太さが漸減していてもよい。これにより、採光部材は、第２の梁の形状にならって、幅方向（ｘ方向）の中央部が最も高くなり、よって、水はけがよいものとなる。
【００９４】
また、採光部材の枚数は、前記実施形態では１枚であったが、これに限定されず、採光用構造体の設置場所によっては、２枚以上とすることもできる。
【符号の説明】
【００９５】
１            採光用構造体
２            採光部材
２１          凹部
２１１        底部
２２          凸部
２２１        頂部
２３、２４    縁部
３Ａ          第１の止水板
３Ｂ          第２の止水板
３１          下端部
４Ａ          第１のカバー部材
４Ｂ          第２のカバー部材
４１、４２    屈曲部
５            支持機構
６Ａ          第１の梁
６Ｂ、６Ｂ１、６Ｂ２  第２の梁
６１          固定部材
７            緩衝材
１１、１２    ボルト
１３          隙間
２０          工場
３０          屋根
３０１        壁際部
３０２        軒先
３０３        凸条
３０４        溝
３０５        傾斜面
３０６        底部
３０７        開口部
３０８        頂部
３０８ａ      固定部材
３０９        境界部
４０          屋内
Ｈ２          高低差
Ｈ３０３      高さ
Ｌ２          全長
ＮＬ          自然光
Ｐ２、Ｐ３０３  間隔（ピッチ）
ｔ２、ｔ３０３  厚さ
Ｗ２          幅
【図１】
2017078288.tif 000003
【図２】
2017078288.tif 000004
【図３】
2017078288.tif 000005
【図４】
2017078288.tif 000006
【図５】
2017078288.tif 000007
【図６】
2017078288.tif 000008
【図７】
2017078288.tif 000009
【図８】
2017078288.tif 000010
【図９】
2017078288.tif 000011
【図１０】
2017078288.tif 000012
【図１１】
2017078288.tif 000013
【図１２】
2017078288.tif 000014
【図１３】
2017078288.tif 000015
【図１４】
2017078288.tif 000016
【図１５】
2017078288.tif 000017
【図１６】
2017078288.tif 000018
【図１７】
2017078288.tif 000019